(57)【要約】      （修正有）【課題】デジタルアナログ変換において、より精密な原音再生を得ることを可能とするデジタル増幅器を提供する。【解決手段】コンピュータの演算手段と音量調整をデジタル数値で入力する手段により端数値のデジタル値の出力をデジタルアナログ変換器５からデータの組み換え手段にてＢＣＤコードに換えて複数のＤＡＣ回路１２に接続されている抵抗器列１３に適正な定電圧をそれぞれに常時かけておき全ての出力端子を結線して出力させることを特徴とする。【選択図】図２
0003176906.tif 000002
【実用新案登録請求の範囲】
【請求項１】
デジタル入力信号を直接コンピュータの乗算演算機能に入れて増幅定数を音量調節に相当する数値入力によりエンコード回路を介して整数値を入力することにより演算回路で端数値のデジタルデータ出力をデジタルアナログ変換器でアナログ化した精密な数値データをＢＣＤコード変換回路へ入力させることをＲＯＭの対応する内容を呼び出してコード変換することを特徴としたコンピュータデジタルアンプ。
【請求項２】
デジタルアナログ変換器から全ての出力端子を４分割してブロック毎にエンコード回路を介して複数のＲＯＭブロックへ相互接続して２進法からＢＣＤコードに変換するためエンコード回路へ入力後ＲＯＭに呼び出した後各データが記録されたＲＯＭブロックからデータ分割回路ブロックにてデータ置き換えを行ない並列接続された加算回路で演算してデジタルアナログ変換器でアナログ変換を行う請求項１記載のコンピュータ。
【請求項３】
出力手段によって精密なアナログ信号変換を行うデジタルアナログ変換器において、ＢＣＤコード変換器へ個別に９個の抵抗器へ定電圧をデジタルアナログ回路側にかけておき、各抵抗器群の出力を一本に結線することを特徴とした請求項１記載のコンピュータデジタルアンプ。
【考案の詳細な説明】
【技術分野】
【０００１】  本考案は、上記問題を解決するための請求項１記載のコンピュータデジタルアンプはデジタルアンプに関するものである。
【背景技術】
【０００２】  デジタルアンプはデジタル入力信号の増幅器で音声信号の波形を高速サンプリングし、音声をデータ化した後増幅再びアナログ信号へ戻すことで電力効率が良く音質の劣化が少なく小型化できる長所があるものである。ただし、繊細な音の再生は難しく硬い音になり音質の面で良質な音の再生可能なアナログアンプとの違いがある。さらにアナログ変換で精度に限界がある問題があった。
【考案の開示】
【考案が解決としようとする課題】
【０００３】  本考案は、デジタルアンプの改良を促す方式の一方法としてオーディオ音声の出力精度を高めるコンピュータの応用技術で高音質増幅を可能としたデジタルアンプを提供するものである。
【課題を解決するための手段】
【０００４】  本考案は、上記問題を解決する為に請求項１記載のコンピュータデジタルアンプは、デジタル入力信号を直接コンピュータの乗算演算機能に入れて増幅定数を音量調節に相当する数値を入力するエンコード回路を介して整数値を入力する。増幅定数値との乗算演算により数値で細かな端数値が出てくる。デジタルアナログ変換器でアナログ化した後精密なデータを出すためのＢＣＤコード変換回路へ入力させることを特徹としたものである。
【０００５】  本考案の請求項２記載のコンピュータデジタルアンプは、請求項１においてデジタルアナログ変換器から全ての出力端子を４分割してブロック毎にエンコード回路を介して複数のＲＯＭブロックへ接続して相互に２進法データからＢＣＤコードに変換する。エンコード回路へ入力後、ＲＯＭにアクセスした後各データが記憶されたＲＯＭブロックからデータ分割回路ブロックにてデータ置換を行うことで並列接続された加算回路で所定の演算を行いデジタルアナログ変換器ブロックで精密なアナログ変換を行う事を特徴としたものである。
【０００６】  本考案の請求項３記載のコンピュータデジタルアンプは、請求項１において出力手段にてより精密なアナログ変換を行うデジタルアナログ変換器において、前述ＢＣＤコード変換器から得た音声信号を複数のデジタルアナログ変換器で各桁別に９個の抵抗器で各デジタルアナログ変換器へ各々定電圧を掛けておく。各抵抗器の出力を一本に結線して接続後アナログ出力する。ことを特徴とするものである。
【考案の効果】
【０００７】  本考案のコンピュータデジタルアンプは、従来のデジタルアンプの特徴とするコンパクトである数値による増幅演算を行い、端数値の電圧データもアナログ数値化することで精密なオーディオ出力がでる為にリアル音が再現できることを特徴とするものである。さらに音量数値を細かく設定することにより精密な音の増幅ができる。
【考案を実施するための形態】
【０００８】  以下、本考案の実施の一形態を図１から図５を使って説明する。図１は、本案の基本となるコンピュータデジタルアンプの回路を示すブロック図である。１はデジタル信号入力端子であり、２はアナログ信号入力端子である。これは３サンプリング回路に接続され、１のデジタル信号入力端子は４コンピュータ回路に接続されている。４コンピュータ回路は乗算演算モードになっている。５デジタルアナログ変換器に接続され、６のエンコード回路に入力され７のＲＯＭ回路を介して８データ分割ブロックに接続されその出力は９デジタル加算回路ブロックに接続されている。さらに３コンピュータ回路には１０音量ボリュームエンコード回路に数値が入力され演算している。
【０００９】  オーディオ信号としてアナログ可聴音声として再生する為に１１の加算回路から１２デジタルアナログ変換器（ＤＡＣ回路）、以下ＤＡＣ回路と略す。に定電圧Ｖ１が、さらに９０第２のＤＡＣ回路には定電圧Ｖ２が９１第３のＤＡＣ回路には定電圧Ｖ３が掛けられている。
【００１０】  定電圧Ｖ１からＶ３の相関関係はＶ１＜Ｖ２＜Ｖ３である。デジタル数で出力端子の電圧が上がるので定電圧も同じようにあげている。
【００１１】  各ＤＡＣ回路には１３抵抗器群がそれぞれ９個ずつ接続され出力電圧を可変させている。信号変換の出力端子の全端子をすべて結線して総出力させている。
【００１２】    デジタルアナログ変換器５には出力に応じて６０の第２エンコード回路や７０のＲＯＭ回路２などさらに第２加算回路８０及び９０第２のＤＡＣ回路及び１３抵抗群が複数個接続している。以下同様な回路要素が接続されている。
【００１３】アナログ信号変換の内容が記録されている６のＲＯＭ回路は出力データに応じて１０進法で各桁Ｍ，Ｎ，Ｏ，Ｐ，Ｑ等数値データが記録されており６０のＲＯＭ回路はじめそれぞれＲＯＭ回路１，ＲＯＭ回路２のデータは各桁どうし対応する加算回路に加えられて演算する
【００１４】  デジタルアナログ変換器の出力４端子ＡＢＣＤを４ビットとしてエンコード端子に接続するが、次の４端子と比較すると最初の４端子は０から１５まで次の端子では１６から始まるので１０進法で各桁加算する仕組みをする。
【００１５】  このＲＯＭ回路１からＲＯＭ回路３には一桁目Ｍにはｍ１からｍ３、二桁目にはＮにｎ２三桁目にはＲにｒ１，ｒ３，など加算してｍ１＋ｍ２＋ｍ３と計算結果が出力される。
【図面の簡単な説明】
【００１６】
【図１】  本考案の一実施例のコンピュータデジタルアンプの構成の図である。
【図２】  本考案のデジタルアナログ変換出力回路の構成を示す図である。
【図３】  本考案の入力および演算回路を示す図である。
【図４】  加算回路のプログラムを示す図である。
【符号の説明】
【００１７】１    デジタル信号入力端子
２    アナログ信号入力端子
３    サンプリング回路
４    コンピュータ回路
５    デジタルアナログ変換器
６    エンコード回路
７    ＲＯＭ回路
８    データ分割ブロック
９    デジタル加算回路ブロック
１０  音量ボリユームエンコード回路
１１  加算回路
１２  ＤＡＣ回路
１３  抵抗器群
８０  第２加算回路
９０  第２のＤＡＣ回路
９１  第３のＤＡＣ回路
【図１】
0003176906.tif 000003
【図２】
0003176906.tif 000004
【図３】
0003176906.tif 000005
【図４】
0003176906.tif 000006
【手続補正書】
【提出日】平成24年4月20日(2012.4.20)
【手続補正１】
【補正対象書類名】実用新案登録請求の範囲
【補正対象項目名】全文
【補正方法】変更
【補正の内容】
【実用新案登録請求の範囲】
【請求項１】
音声信号をデジタル入力信号端子からコンピューター回路を介して乗算演算モードで演算して音量を調節する音量ボリュームエンコード回路で整数値を入力後、端数値を含むデジタルデータをデジタルアナログ変換回路に入力してアナログ出力端子から複数のエンコード回路からＢＣＤコード変換データの内容を記録したＲＯＭ回路を呼び出してデータ分割ブロックで適当な複数の加算回路で演算して、ＤＡＣ回路で精密なアナログ信号を出力させることを特徴としたコンピュータデジタルアンプ。
【請求項２】
デジタルアナログ変換器から全ての出力端子を４分割してブロック毎にエンコード回路で複数のコード変換データが記録してあるＲＯＭ回路で読み出して２進法データからデータ組み替え、繰り上げデータを加算回路へ入力する所定の演算を行いＤＡＣ回路で精密なアナログ変換を行う事を特徴とする請求項１記載のコンピュータデジタルアンプ。
【請求項３】
デジタルアナログ変換に用いる複数のＤＡＣ回路に適正な定電圧を掛けておきＤＡＣ回路に９個の抵抗器を接続して全てのＤＡＣ回路の抵抗器を結線して出力することを特徴とした請求項２記載のコンピュータデジタルアンプ。